(57)【要約】      （修正有）【課題】不特定多数の人々が大勢集まるパーティなどの会場で、コミュニケーションを円滑にすることができるツールを提供する。【解決手段】不特定多数の人々が大勢集まるパーティなどの会場で、血液型と星座を組み合わせたマーク２を参加者全員が貼り、これを携帯端末（電話等）３でデータを入力しホストコンピューター１に送信し、契約した書籍やインターネット内のページをスキャンして自分との相性や相手の性向を予測したり、好みの音楽のジャンルやスポーツなどを確率高く想定したページを見つけて携帯端末（電話等）３に出力する。【選択図】図１
2013105225.tif 000002
【特許請求の範囲】
【請求項１】
不特定多数の人々が集まるパーティなどの会場で、血液型と星座を組
み合わせたマークを参加者全員が貼り、これを携帯端末（電話等）でデータを入力すると
ホストコンピュータに送信され、自分との相性や相手の性向を予測したページに接続。
契約した血液型や星座占い等、複数の出版物やコンピュータ内のコンテンツをスキャンし
特殊なコードで目的とするページに辿り着き、相手の性向や好みなどを手元の端末に出力
する。
複数の出版物や著作物をスキャンするため、確率高く予測することになりコミュニケーシ
ョンが容易になり会話が弾み或いは話題のリーダーシップが取りやすくなるなど、コミュ
ニケーション円滑の為のビジネスモデルである。
【発明の詳細な説明】
【技術分野】
【０００１】
本発明は、人々のコミュニケーションを円滑に進めるビジネスモデルに関する。
コンピューター占いや血液型性格分類、星座占い及びバイオリズム管理術など多数の出版
物やネット内著作物が存在しているが、それぞれの人々が自分の将来を案じているにもか
かわらず人生の将来像は誰にも見えない、その為科学的ではないと解っていても何かの占
いをよりどころにしたいと云う気持ちの表れの為、この種類の出版物や著作物がかなりの
数販売されている。
しかし、その殆どが多くのデータに基づく分類や分析により原因・結果に至る確率を大
分類し、追跡出来るようにしたもので、より多くの異なったデータによるものがもっと集
まれば求めるものに近くなる可能性がある。
不特定多数の人々が集まるパーティなどの会場で、血液型と星座を組み合わせたマークを
参加者全員が貼り携帯端末（電話等）でデータを入力し、ホストコンピューターに送信さ
れることで自分との相性や相手の性向を予測したり好みの音楽ジャンルや好みのスポーツ
等が記載されたページを探し当て、手元の端末に出力されコミュニケーションを円滑に計
ることが出来る。
本発明は、これを解決するビジネスモデルである。
【背景技術】
【０００２】
従来、血液型性格分類に代表されるように、自分の血液型を見るとどれこれこういうタ
イプの人でこういうタイプの人とは性格が合うとか合わないとか書いてあり、医学的には
何の根拠もないそうだが人々に受け入れられてケースが数多く見られ、良いコミュニケー
ションの手段ともなっている。
また、西欧では星座占いが数多く見られ特に戦後の日本でもかなり一般的に知られるよ
うになってきた。
これらを信じるも、ただ参考にするにも人々の好みや決めごとの世界であり、本来技術や
特許が取り扱う範疇では無かったが、これだけ多くの著作物が世の中に氾濫するようにな
るとどれを信じて良いのか解らなくなる人も多くなってきた。
そして、これらの著作物が製本されて売られていたり、インターネットの占い分野のコン
テンツを形つくり、それぞれの読者がそれらの著作物に個別にコンタクトして内容を判読
し取捨選択をしている。
【０００３】
一般に占い本と云ってもこれだけ多くの読者がいて、自分との相性の適性や不適性など
がささやかれると、思わずその会話に引き込まれることがあり既に立派なコミュニケーシ
ョンの手段となっていることが伺われる。
ポイントは著作物となった占い出版物やインターネット内の占いページの中で、売れ行
きの多い出版物やコンタクト件数の多いページ等は、一定の期間衆目の目に晒されてそれ
なりの社会的評価を受け淘汰されたものと考えられる事です。
【発明の開示】
【発明が解決しようとする課題】
【０００４】
本発明が解決しようとする課題は、いかに簡単に且つ早く目標とするページにアクセス
でき、利用者にとって満足のいく回答が得られるかにあります。
【０００５】
併せて、それにかかるコストも安上がりに越したことは無く、これまで各種の出版物を
買ったりパソコンでは有料サイトを含め幾つも探し求めなければならず、時間的に必ずし
も合理的では無かった。
【課題を解決するための手段】
【０００６】
このビジネスモデルでは、従来の各種の占い出版物やインターネット内の占いページを
コンタクトする携帯端末（電話等）から血液型と星座を組み合わせたマークを入力するこ
とにより、ホストコンピューター内の契約された各種の出版物やインターネット内の著作
物（一定の期間衆目の目に晒されてそれなりの評価を受けたもの）と横断的に電子情報が
飛び交い、最適の組み合わせ（相性）や最適のグループ編成、最適とはいかないまでも相
性の良い組み合わせ等のページを探して、あるいはその時点から一月以内の近未来及び一
年以内の中長期未来に関する未来予測などがリンクされていくシステムを提供する。
【０００７】
インターネット内の占いページや販売されている各種占いの出版物の中で、読者（消費
者）に最も評判の高い複数社と著作権契約を行い、特定のコードを閲覧される側及び閲覧
する側に割り振り、閲覧する側の意思に沿って複数社の各種占いページ（著作物）の中か
ら目的とする項目（相性の良し悪し等）に辿り着くことが出来、確率的により的中度が高
い言葉や記号又はイメ−ジ（イラスト・マンガなど）に効率よく到達し端末に出力する。
【発明の効果】
【０００８】
本発明では、従来の個別の占い出版物を探して目的に近いものに巡り合うことや、イン
ターネットの占いページを思いつく検索ワードなどで追及していくことで目的とするもの
に近づいていく方式から、血液型と星座を組み合わせたマークを入力することで、各目的
別分岐点で選択を続けて複数の著作物の中から最も目的に近い著作物に到達できることが
特徴である。
【発明を実施するための最良の形態】
【０００９】
本発明は、従来のコンピューターの占いと異なり、結論に至る切り口（分類法や分析法
、分析数等が異なる）で各種の著作物を横列に横断的に特殊なコードでスキャンしながら
読者の希望する目的に短時間で到達する事ができるようになる。
【実施例】
【００１０】
以下、本発明の実施例を図面に基づいて説明する。
初対面ながら血液型と星座を組み合わせたマークを胸に貼ることで、短時間のうちに自分
と目標とする相手の性格や好み、興味のある話題や好きな食べ物好きなスポーツや音楽の
ジャンル等がある程度の確率でサーチ出来、あるパーティでの参加者たちが交流し、盛り
上がっている状態を示している例である。
【００１１】
図１は実施例を示す概念図である。
【００１２】
図中１はホストコンピューター、２は血液型と星座を組み合わせた個人識別マーク、３は携帯端末、４〜８は携帯端末に表示される出力内容である。
【００１３】
この実施例では、参加者が予め各自自分の血液型と星座を組み合わせたマークを胸に貼
りつけパーティ会場に入っている例である。
【産業上の利用可能性】
【００１４】
以上の様に本発明によれば誰よりもいち早く目的とする相手の性格的特徴や好みのスポ
ーツや音楽・食べ物・好みの話題等を確率高く察知でき、会話をスムースに運びコミュニ
ケーションが行われ婚活や各種パーティを楽しく行う事ができる。
【００１５】
また、特に外国人を交えたパーティ等では話題の発端探しなどに苦慮するものですが、
ある程度の相手の好みの情報があれば効果的にアプローチするのに有利である。
【図面の簡単な説明】
【００１６】
【図１】実施例を示す概念図である。
【図２】出力例を示す相性相関図の一部である。
【符号の説明】
【００１７】
１  ホストコンピューターである    
２  血液型と星座を組み合わせた個人識別マーク
３  携帯端末（電話等）である
４  血液型・星座分類による相性相関図の出力  
５  相手の個人的嗜好の予測表の出力  
６  近未来・中長期未来の自分と相手に関する予測表出力  
７  自分と相手とのその他関連情報の出力  
８  注意事項・危険情報の出力
【図１】
2013105225.tif 000003
【図２】
2013105225.tif 000004
【手続補正書】
【提出日】平成24年10月16日(2012.10.16)
【手続補正１】
【補正対象書類名】特許請求の範囲
【補正対象項目名】全文
【補正方法】変更
【補正の内容】
【特許請求の範囲】
【請求項１】
ホストコンピューターと複数の携帯端末とからなるコミュニケーションシステムであって、
前記携帯端末は、
前記ホストコンピューターが送信したデータを表示する表示部と、
血液型と星座を組み合わせたマークを入力する入力部と、
前記利用者が相手の前記血液型と星座を組み合わせたマークを入力操作し、利用者および相手の血液型と星座を組み合わせたマーク情報を前記ホストコンピューターに送信する送信手段と、
前記ホストコンピューターは、
携帯端末から受信した利用者および対面者の血液型と星座を組み合わせたマーク情報及びホストコンピューター内の相性表を基に、インターネット内の占いコンテンツと接続して相性のよい組み合わせのページを探し相手の性向や好みを予測する予測手段を備え、
前記携帯端末に予測した相手の性向や好みを出力する手段と、を備えたことを特徴とするコミュニケーションシステム。